(57)【特許請求の範囲】
【請求項１】
振動を発するための水晶共振器を備える計時器モデルの計時器を認証する方法であって、
前記計時器の真正性を決定するために前記水晶共振器の前記振動に由来する前記計時器からの振動を検出するステップと、
前記検出された振動を分析して、前記計時器の前記真正性を決定するステップであり、前記検出された振動を前記計時器モデルについて前もって記憶された基準情報と比較することを含むステップと、
前記比較に基づいて前記計時器の前記真正性を決定するステップと
を含む、方法。
【請求項２】
前記検出された振動を分析する前記ステップが、前記振動の１つ又は複数の成分周波数を識別することを含み、任意選択で、前記振動の１つ又は複数の成分周波数を識別する前記ステップが、数学アルゴリズムを使用して、前記振動の１つ又は複数の成分周波数を識別することを含み、好ましくは、前記数学アルゴリズムが、フーリエ変換、短時間フーリエ変換、ガボール変換、ウィグナー変換、及びウェーブレット変換のうちの１つを含む、請求項１に記載の方法。
【請求項３】
前記振動の前記成分周波数のうちの１つ又は複数から前記水晶共振器の共振周波数を識別するステップをさらに含む、請求項２に記載の方法。
【請求項４】
前記検出された振動を分析する前記ステップが、前記検出された振動から前記水晶共振器の共振周波数を識別することを含む、請求項１又は２に記載の方法。
【請求項５】
前記識別された共振周波数を前記計時器の基準周波数範囲又は前記計時器の基準共振周波数と比較するステップと、前記比較に基づいて前記計時器の真正性を決定するステップとをさらに含む、請求項３又は４に記載の方法。
【請求項６】
前記計時器を認証するために前記振動の１つ又は複数の補助の成分周波数を１つ又は複数の基準周波数と比較するステップをさらに含む、請求項１〜５のいずれか一項に記載の方法。
【請求項７】
前記計時器の機械構成要素の動き、例えば、前記計時器の針の動きに由来する前記計時器からの振動を検出するステップと、前記計時器の真正性を決定するために前記振動を分析するステップとをさらに含む、請求項１〜６のいずれか一項に記載の方法。
【請求項８】
前記計時器が、振動を発するためのトランスデューサをさらに備え、
当該方法が、前記計時器の前記真正性を決定するために前記トランスデューサの前記振動に由来する前記計時器からの振動を検出するステップを含む、請求項１〜７のいずれか一項に記載の方法。
【請求項９】
前記トランスデューサの前記振動に由来する前記計時器からの前記振動の１つ又は複数の成分周波数を識別するステップと、前記計時器を認証するために前記識別された成分周波数のうちの１つ又は複数を１つ又は複数の基準周波数と比較するステップとをさらに含む、請求項８に記載の方法。
【請求項１０】
前記識別された成分周波数のうちの１つ又は複数を１つ又は複数の基準周波数と比較する前記ステップが、前記計時器を認証するために前記トランスデューサの共振周波数及び／又は前記振動の補助の周波数を基準周波数と比較することを含む、請求項９に記載の方法。
【請求項１１】
前記計時器が、前記計時器の前記振動において信号を符号化するために前記水晶共振器又は前記トランスデューサの前記振動を変調するための変調器を備え、
当該方法が、前記検出された振動を分析して、前記変調器によって符号化された前記信号を決定するステップをさらに含む、請求項１〜１０のいずれか一項に記載の方法。
【請求項１２】
前記変調器が、時間とともに変化する信号を符号化し、前記検出された振動を分析する前記ステップが、前記計時器からの振動を表す信号を復調して、前記変調器によって符号化された前記信号を決定することを含む、請求項１１に記載の方法。
【請求項１３】
前記決定された符号化信号を前記計時器の基準情報と比較して、前記計時器を認証するステップと、前記比較に基づいて前記計時器の真正性を決定するステップとをさらに含む、請求項１１又は１２に記載の方法。
【請求項１４】
前記変調器によって符号化された前記信号が、前記計時器を識別するための識別子、例えば、前記計時器のシリアル番号を伝える、請求項１１〜１３のいずれか一項に記載の方法。
【請求項１５】
前記計時器の真正性を決定するために分析のために前記計時器の前記検出された振動を電気信号に変換するステップをさらに備え、
任意選択で、分析のために前記計時器の前記検出された振動を電気信号に変換する前記ステップは、前記計時器の前記検出された振動を電気信号にトランスデューサを使用して変換することを含む、請求項１〜１４のいずれか一項に記載の方法。
【請求項１６】
前記トランスデューサが、共振周波数の振動を発し、前記トランスデューサ及び前記水晶共振器が異なる共振周波数を有する、請求項８〜１０のいずれか一項に記載の方法。
【請求項１７】
前記検出された振動の少なくとも１つの特性を記憶して、前記計時器を認証するための基準を作製するステップをさらに含み、
任意選択で、前記少なくとも１つの特性が、共振周波数、前記検出された振動の周期、前記検出された振動の１つ又は複数の成分周波数、前記検出された振動の大きさ、前記検出された振動の前記周期の時間的変化、前記検出された振動の前記周波数の時間的変化、及び前記検出された振動の前記大きさの時間的変化のうちの１つ又は複数を含む、請求項１〜１６のいずれか一項に記載の方法。
【請求項１８】
計時器モデルの計時器であって、
前記計時器によって管理される時間を規制する振動を発するための水晶共振器と、前記計時器モデルに関して前記計時器を認証するための振動を発するためのトランスデューサと、前記計時器の振動において信号を符号化するために前記水晶共振器又は前記トランスデューサの振動を変調するように構成された変調器とを備え、前記符号化することは、前記計時器モデルの識別情報を生成することを含む、計時器。
【請求項１９】
共振周波数の振動を発するための水晶共振器を備える計時器を認証するための計時器認証システムであって、
前記水晶共振器の前記振動に由来する前記計時器の振動を検出するための検出器を備え、
当該計時器認証システムが、請求項１〜１７のいずれか一項に記載の方法を実行するように構成されており、任意選択で、前記検出器が、分析のために前記振動を電気信号に変換するためのトランスデューサを備え、当該計時器認証システムが、任意選択で、前記電気信号を処理するためのプロセッサをさらに備える、計時器認証システム。
【発明の詳細な説明】
【技術分野】
【０００１】
本発明は、腕時計などの計時器を認証するための方法及びシステムに関する。この方法及びシステムは、他のデバイス、例えば、モバイル電話を認証するために使用することができる。
【背景技術】
【０００２】
一般に模造品と呼ばれる偽造消費財は、売りに出された偽造又は模倣品である。偽造品の拡散は、近年世界的になっており、偽造を被りやすい品物の範囲は著しく増加している。
【０００３】
腕時計は偽造を受けやすく、数十年間偽造されてきた。偽造腕時計は、本物の腕時計の一部又はすべての無断の模倣である。スイス税関による推定によれば、約３０００万〜４０００万個の偽造腕時計が毎年流通し始める。コートの中に１ダースのそのような偽造腕時計を入れ、割引価格で提供する売り手が、ニューヨークへの訪問者に街路上で近づくのは普通のことである。偽造製品は、外観から本物に見え、標準以下の構成要素を含むことがある。極めて本物のように見えるが、非常に低品質な偽造腕時計が、２０ドルほどで売られることがある。この問題は、偽造物の品質が絶え間なく向上するとともにますます深刻になりつつある。偽造腕時計は、推定で年当たり１０億ドルの損失を腕時計産業界にもたらしている。
【０００４】
消費財を偽造から保護するために使用されている認証解決策は、多くの場合、特別な材料、コード、又はマーク付け、彫刻などで物品にマーク付けすることに基づく。しかしながら、これらの方法は、対象物の特質及び外観を改変し、これは、多くの場合、対象物のデザイン及び視覚的外観が最も重要である腕時計（及び他の贅沢品）産業界では受け入れることができない。追加として、外側のマークは、模倣及び環境要因（摩耗、汚れなど）にさらされることがある。さらに、これらの方法は、製造の時の積極的介入と、それに対応して、製造プロセスの重要な変更とを必要とする。
【０００５】
クォーツ時計は、時を刻むために水晶結晶板によって規制される電子発振器を使用する時計である。この水晶発振器は非常に正確な周波数をもつ信号を作り出し、その結果、クォーツ時計は機械時計よりも少なくとも１桁正確である。本質的な正確さ及び製造の低コストは、クォーツ時計及び腕時計の急増をもたらした。１９８０年代までに、クォーツ技術は、キッチンタイマー、目覚まし時計、銀行大金庫時限錠、及び軍用品の時限信管などの用途を初期の機械式はずみ車可動部からとって代わっており、これは、クォーツ危機として時計製造業に知られている激変である。
【０００６】
水晶ムーブメント（ｑｕａｒｔｚ  ｍｏｖｅｍｅｎｔ）を備えた計時器は、１９８０年代以来腕時計及び置時計市場を支配しており、水晶結晶板の高いＱ係数及び低い温度係数のために、それらは、最も良好な機械式計時器よりも正確であり、すべての可動部を除いたことが、クォーツ計時器をより堅牢にし、定期保守の必要性を除いている。
【０００７】
水晶ムーブメントの使用は、低価格市場で最も広く普及しているが、それに限定されず、水晶ムーブメントに適合した中程度の計時器から非常に高価な計時器まで、日常的に製造され販売されている。
【０００８】
計時器の真正性を評価するとき、その外観だけでなくその内部の内容物に関してもできるだけ多くの情報を有することが望ましい。その上に、真正性を検査するとき計時器を開ける必要がないことが望ましく、その理由は、その作業が、特殊な機器及び手順を必要とし、それが、部品の性能及び／又は保全性（例えば、水密性）に影響を与えることがあり、製造業者の保証を無効にすることがあるからである。
【０００９】
そのために、計時器を開ける必要なしに、できるだけ非侵入性で信頼できる方法で計時器を認証できることが望ましい。
【発明の概要】
【発明が解決しようとする課題】
【００１０】
本発明の目的は、非侵入性で信頼できる計時器を認証する方法を提供することである。
【課題を解決するための手段】
【００１１】
本発明の第１の態様によれば、計時器を認証する方法が提供され、計時器は、振動を発するための水晶共振器を備え、この方法は、計時器の真正性を決定するために水晶共振器の振動に由来する前記計時器からの振動を検出するステップを含む。
【００１２】
この方法は、検出された振動を分析して、計時器の真正性を決定するステップをさらに含むことができる。
【００１３】
検出された振動を分析するステップは、計時器の真正性を決定するために、検出された振動を計時器の基準情報と比較するステップを含むことができる。
【００１４】
この方法は、比較に基づいて計時器の真正性を決定するステップをさらに含むことができる。
【００１５】
検出された振動を分析するステップは、振動の１つ又は複数の成分周波数（ｃｏｍｐｏｎｅｎｔ  ｆｒｅｑｕｅｎｃｙ）を識別するステップを含むことができる。
【００１６】
振動の１つ又は複数の成分周波数を識別するステップは、数学アルゴリズムを使用して、振動の１つ又は複数の成分周波数を識別するステップを含むことができる。
【００１７】
数学アルゴリズムは、フーリエ変換、短時間フーリエ変換、ガボール変換、ウィグナー変換、及びウェーブレット変換のうちの１つを含むことができる。
【００１８】
この方法は、振動の成分周波数のうちの１つ又は複数から水晶共振器の共振周波数を識別するステップをさらに含むことができる。
【００１９】
検出された振動を分析するステップは、検出された振動から水晶共振器の共振周波数を識別するステップを含むことができる。
【００２０】
この方法は、識別された共振周波数を計時器の基準周波数範囲と比較するステップをさらに含むことができる。
【００２１】
この方法は、比較に基づいて計時器の真正性を決定するステップをさらに含むことができる。
【００２２】
この方法は、識別された共振周波数を計時器の基準共振周波数と比較するステップをさらに含むことができる。
【００２３】
この方法は、比較に基づいて計時器の真正性を決定するステップをさらに含むことができる。
【００２４】
この方法は、計時器を認証するために振動の１つ又は複数の補助の成分周波数を１つ又は複数の基準周波数と比較するステップをさらに含むことができる。
【００２５】
この方法は、計時器の機械構成要素の動き、例えば、計時器の針の動きに由来する前記計時器からの振動を検出するステップと、計時器の真正性を決定するために前記振動を分析するステップとをさらに含むことができる。
【００２６】
計時器は、計時器からの振動において信号を符号化するために水晶共振器の振動を変調するための変調器を備えることができ、この方法は、検出された振動を分析して、変調器によって符号化された信号を決定するステップをさらに含むことができる。
【００２７】
変調器は、周波数変調器又は振幅変調器とすることができる。任意選択で、変調器は、周波数変調器、振幅変調器、及び位相変調器のうちの１つ又は複数とすることができる。変調器の変調信号はアナログ信号とすることができる。変調器の変調信号はデジタル信号とすることができる。周波数変調は周波数キーシフティングを含むことができる。周波数変調は振幅キーシフティングを含むことができる。周波数変調は位相シフトキーイングを含むことができる。
【００２８】
変調器は、時間とともに変化する信号を符号化することができ、検出された振動を分析するステップは、計時器からの振動を表す信号を復調して、変調器によって符号化された信号を決定するステップを含むことができる。
【００２９】
この方法は、決定された符号化信号を計時器の基準情報と比較して、計時器を認証するステップをさらに含むことができる。
【００３０】
この方法は、比較に基づいて計時器の真正性を決定するステップをさらに含むことができる。
【００３１】
変調器によって符号化された信号は、計時器を識別するための識別子、例えば、計時器のシリアル番号を伝えることができる。
【００３２】
この方法は、計時器の真正性を決定するための分析のために計時器の検出された振動を電気信号に変換するステップをさらに含むことができる。
【００３３】
分析のために計時器の検出された振動を電気信号に変換するステップは、計時器の検出された振動を電気信号にトランスデューサを使用して変換するステップを含むことができる。
【００３４】
水晶共振器は、２〜４ｍｍのプロング長（Ｌ）、０．２〜０．６ｍｍのプロング幅（Ｗ）、及び０．１〜０．４ｍｍのプロング厚（Ｔ）を有することができる。水晶共振器は、以下の寸法のうちの１つを有することができる。
プロング長（Ｌ）＝２．４ｍｍ、プロング幅（Ｗ）＝０．２４ｍｍ、プロング厚（Ｔ）＝０．１３ｍｍ、
プロング長（Ｌ）＝２．６５ｍｍ、プロング幅（Ｗ）＝０．２６ｍｍ、プロング厚（Ｔ）＝０．１２ｍｍ、
プロング長（Ｌ）＝２．８ｍｍ、プロング幅（Ｗ）＝０．３２ｍｍ、プロング厚（Ｔ）＝０．１２ｍｍ、
プロング長（Ｌ）＝３．２ｍｍ、プロング幅（Ｗ）＝０．２３ｍｍ、プロング厚（Ｔ）＝０．１０ｍｍ、
プロング長（Ｌ）＝２．６ｍｍ、プロング幅（Ｗ）＝０．２６ｍｍ、プロング厚（Ｔ）＝０．１２ｍｍ、
プロング長（Ｌ）＝３．９８ｍｍ、プロング幅（Ｗ）＝０．６０ｍｍ、プロング厚（Ｔ）＝０．４０ｍｍ、及び
プロング長（Ｌ）＝３．７５ｍｍ、プロング幅（Ｗ）＝０．６０ｍｍ、プロング厚（Ｔ）＝０．３４ｍｍ。
【００３５】
計時器は、振動を発するためのトランスデューサをさらに含むことができ、この方法は、計時器の真正性を決定するためにトランスデューサの振動に由来する計時器からの振動を検出するステップを含むことができる。
【００３６】
トランスデューサは水晶共振器を備えることができる。
【００３７】
この方法は、トランスデューサの振動に由来する計時器からの振動の１つ又は複数の成分周波数を識別するステップと、計時器を認証するために、識別された成分周波数のうちの１つ又は複数を１つ又は複数の基準周波数と比較するステップとをさらに含むことができる。
【００３８】
識別された成分周波数のうちの１つ又は複数を１つ又は複数の基準周波数と比較するステップは、計時器を認証するためにトランスデューサの共振周波数及び／又は振動の補助の周波数を基準周波数と比較するステップを含むことができる。
【００３９】
計時器は、計時器の振動において信号を符号化するためにトランスデューサの振動を変調するための変調器を備えることができ、この方法は、検出された振動を分析して、変調器によって符号化された信号を決定するステップをさらに含むことができる。
【００４０】
変調器は、周波数変調器又は振幅変調器とすることができる。任意選択で、変調器は、周波数変調器、振幅変調器、及び位相変調器のうちの１つ又は複数とすることができる。変調器の変調信号はアナログ信号とすることができる。変調器の変調信号はデジタル信号とすることができる。周波数変調は周波数キーシフティングを含むことができる。周波数変調は振幅キーシフティングを含むことができる。周波数変調は位相シフトキーイングを含むことができる。
【００４１】
変調器は、時間とともに変化する信号を符号化することができ、検出された振動を分析するステップは、計時器からの振動を表す信号を復調して、変調器によって符号化された信号を決定するステップを含むことができる。
【００４２】
この方法は、決定された符号化信号を計時器の基準情報と比較して、計時器を認証するステップをさらに含むことができる。
【００４３】
この方法は、比較に基づいて計時器の真正性を決定するステップをさらに含むことができる。
【００４４】
変調器によって符号化された信号は、計時器を識別するための識別子、例えば、計時器のシリアル番号を伝えることができる。
【００４５】
計時器のトランスデューサは、時間管理目的に使用されないことがある。
【００４６】
トランスデューサは、共振周波数の振動を発することができ、トランスデューサ及び水晶共振器は、異なる共振周波数を有することができる。トランスデューサ及び水晶共振器は、異なる公称共振周波数を有することができる。トランスデューサは、共振周波数の振動を発していないことがある。
【００４７】
この方法は、検出された振動の少なくとも１つの特性を記憶して、計時器を認証するための基準を作製するステップをさらに含むことができる。
【００４８】
少なくとも１つの特性は、共振周波数、検出された振動の周期、検出された振動の１つ又は複数の成分周波数、検出された振動の大きさ、検出された振動の周期の時間的変化、検出された振動の周波数の時間的変化、及び検出された振動の大きさの時間的変化のうちの１つ又は複数を含むことができる。
【００４９】
少なくとも１つの特性はデータベースに記憶することができる。
【００５０】
水晶共振器は、計時器によって管理される時間を規制することができる。
【００５１】
本開示のさらなる態様によれば、計時器によって管理される時間を規制するための第１の水晶共振器と、計時器を認証するための振動を発するための１つ又は複数のトランスデューサと、計時器の振動において信号を符号化するために第１の水晶共振器の振動を変調するための変調器とを備える計時器が提供される。
【００５２】
トランスデューサは、圧電トランスデューサなどの電気音響トランスデューサ、例えば第２の水晶共振器を備えることができる。
【００５３】
計時器は、計時器を認証するための振動を発するためのトランスデューサを備えることができ、計時器は、計時器の振動において信号を符号化するためにトランスデューサの振動を変調するための変調器をさらに備えることができる。
【００５４】
本開示のさらなる態様によれば、符号化信号を任意選択でサポートする、時間管理目的に有用な第１の水晶共振器と、任意選択で、符号化メッセージを任意選択でサポートする少なくとも１つのトランスデューサとを備える計時器であり、前記第１の水晶及び少なくとも１つのトランスデューサが、計時器を認証するための振動を発する、計時器が、提供される。
【００５５】
本開示のさらなる態様によれば、計時器を認証するための計時器認証システムであり、計時器は、共振周波数の振動を発するための水晶共振器を備え、計時器認証システムは、水晶共振器の振動に由来する計時器の振動を検出するための検出器を備え、システムは、本明細書で説明する方法を実行するのに好適であり、任意選択で、検出器は、分析のために振動を電気信号に変換するためのトランスデューサを備え、システムは、任意選択で、電気信号を処理するためのプロセッサをさらに備える、計時器認証システムが、提供される。
【００５６】
本開示のさらなる態様によれば、共振周波数の振動を発するための水晶共振器を備える計時器を認証するコンピュータ実施の方法であって、計時器の真正性を決定するために水晶共振器の振動に由来する計時器の検出された振動を分析するステップを含む、コンピュータ実施の方法が、提供される。
【００５７】
検出された振動を分析するステップは、計時器の真正性を決定するために、検出された振動を計時器の基準情報と比較するステップを含むことができる。
【００５８】
コンピュータ実施の方法は、比較に基づいて計時器の真正性を決定するステップをさらに含むことができる。
【００５９】
計時器の検出された振動を分析するステップは、振動の１つ又は複数の成分周波数を決定するステップを含むことができる。
【００６０】
計時器の検出された振動を分析するステップは、水晶共振器の共振周波数を識別するステップを含むことができる。
【００６１】
コンピュータ実施の方法は、識別された共振周波数を計時器の基準共振周波数と比較するステップをさらに含むことができる。
【００６２】
計時器は、水晶共振器の振動を変調するための変調器を備えることができ、及び／又は計時器は、振動を発するためのトランスデューサと、計時器の振動において信号を符号化するためにトランスデューサの振動を変調するための変調器とを備えることができ、この方法は、検出された振動を分析して、１つ又は複数の変調器によって符号化された信号を決定するステップを含むことができる。
【００６３】
検出された振動を分析するステップは、計時器の振動を表す信号を復調して、符号化された信号を決定するステップを含むことができる。
【００６４】
本開示のさらなる態様によれば、コンピュータでの実行のための実行可能命令を含むコンピュータプログラムであって、実行可能命令が、本明細書で説明する方法を実行するように実行可能である、コンピュータプログラムが提供される。
【００６５】
本開示のさらなる態様によれば、１つ又は複数の計時器の検出された振動の少なくとも１つの特性を、前記又は各計時器を認証するために、含むデータベースであって、前記又は各計時器が水晶共振器を含み、検出された振動が水晶共振器の振動に由来し、好ましくは、少なくとも１つの特性が、共振周波数、検出された振動の周期、検出された振動の１つ又は複数の成分周波数、検出された振動の大きさ、検出された振動の周期の時間的変化、検出された振動の周波数の時間的変化、検出された振動の大きさの時間的変化のうちの１つ又は複数を含む、データベースが、提供される。
【００６６】
本開示のさらなる態様によれば、水晶共振器を備えている計時器を認証するための基準を作製する方法であって、この方法は、水晶共振器の振動に由来する前記計時器の振動を検出するステップと、検出された振動の少なくとも１つの特性を記憶して、計時器を認証するための基準を作製するステップとを含み、好ましくは、少なくとも１つの特性が、共振周波数、検出された振動の周期、検出された振動の１つ又は複数の成分周波数、検出された振動の大きさ、検出された振動の周期の時間的変化、検出された振動の周波数の時間的変化、及び検出された振動の大きさの時間的変化のうちの１つ又は複数を含む、方法が、提供される。
【００６７】
この方法は、振動を発するためのトランスデューサを備える任意のデバイスを認証するために使用することができ、トランスデューサは、水晶共振器とすることができる。例えば、この方法は、モバイル電話を認証するために使用することができる。
【００６８】
発明者等は、ここで、まだ主張されていない以下の態様を明確に定めることができる。
【００６９】
振動を発するためのトランスデューサを備えるデバイスを認証する方法は、デバイスの真正性を決定するためにトランスデューサの振動に由来する前記デバイスからの振動を検出するステップを含む。
【００７０】
この方法は、検出された振動を分析して、デバイスの真正性を決定するステップをさらに含むことができる。
【００７１】
検出された振動を分析するステップは、デバイスの真正性を決定するために、検出された振動をデバイスの基準情報と比較するステップを含むことができる。
【００７２】
この方法は、比較に基づいてデバイスの真正性を決定するステップをさらに含むことができる。
【００７３】
検出された振動を分析するステップは、振動の１つ又は複数の成分周波数を識別するステップを含むことができる。
【００７４】
振動の１つ又は複数の成分周波数を識別するステップは、数学アルゴリズムを使用して、振動の１つ又は複数の成分周波数を識別するステップを含むことができる。
【００７５】
数学アルゴリズムは、フーリエ変換、短時間フーリエ変換、ガボール変換、ウィグナー変換、及びウェーブレット変換のうちの１つを含むことができる。
【００７６】
この方法は、振動の成分周波数のうちの１つ又は複数から共振周波数を識別するステップをさらに含むことができる。
【００７７】
検出された振動を分析するステップは、共振周波数を識別するステップを含むことができる。
【００７８】
この方法は、識別された共振周波数をデバイスの基準周波数範囲と比較するステップをさらに含むことができる。
【００７９】
この方法は、比較に基づいてデバイスの真正性を決定するステップをさらに含むことができる。
【００８０】
この方法は、識別された共振周波数をデバイスの基準共振周波数と比較するステップをさらに含むことができる。
【００８１】
この方法は、比較に基づいてデバイスの真正性を決定するステップをさらに含むことができる。
【００８２】
この方法は、振動の１つ又は複数の補助の成分周波数を、デバイスを認証するための１つ又は複数の基準周波数と比較するステップをさらに含むことができる。
【００８３】
この方法は、デバイスの機械構成要素の動きに由来する前記デバイスからの振動を検出するステップと、デバイスの真正性を決定するために前記振動を分析するステップとをさらに含むことができる。
【００８４】
デバイスは、デバイスからの振動において信号を符号化するためにトランスデューサの振動を変調するための変調器を備えることができる。この方法は、検出された振動を分析して、変調器によって符号化された信号を決定するステップを含むことができる。
【００８５】
変調器は、周波数変調器又は振幅変調器とすることができる。
【００８６】
変調器は、時間とともに変化する信号を符号化することができ、検出された振動を分析するステップは、デバイスからの振動を表す信号を復調して、変調器によって符号化された信号を決定するステップを含むことができる。
【００８７】
この方法は、決定された符号化信号をデバイスの基準情報と比較して、デバイスを認証するステップをさらに含むことができる。
【００８８】
この方法は、比較に基づいてデバイスの真正性を決定するステップをさらに含むことができる。
【００８９】
変調器によって符号化された信号は、デバイスを識別するための識別子、例えば、デバイスのシリアル番号を伝えることができる。
【００９０】
この方法は、デバイスの真正性を決定するための分析のためにデバイスの検出された振動を電気信号に変換するステップをさらに含むことができる。
【００９１】
分析のためにデバイスの検出された振動を電気信号に変換するステップは、デバイスの検出された振動を電気信号にトランスデューサを使用して変換するステップを含むことができる。
【００９２】
トランスデューサは水晶共振器を備えることができる。
【００９３】
水晶共振器は、２〜４ｍｍのプロング長（Ｌ）、０．２〜０．６ｍｍのプロング幅（Ｗ）、及び０．１〜０．４ｍｍのプロング厚（Ｔ）を有することができる。水晶共振器は、以下の寸法のうちの１つを有することができる。
プロング長（Ｌ）＝２．４ｍｍ、プロング幅（Ｗ）＝０．２４ｍｍ、プロング厚（Ｔ）＝０．１３ｍｍ、
プロング長（Ｌ）＝２．６５ｍｍ、プロング幅（Ｗ）＝０．２６ｍｍ、プロング厚（Ｔ）＝０．１２ｍｍ、
プロング長（Ｌ）＝２．８ｍｍ、プロング幅（Ｗ）＝０．３２ｍｍ、プロング厚（Ｔ）＝０．１２ｍｍ、
プロング長（Ｌ）＝３．２ｍｍ、プロング幅（Ｗ）＝０．２３ｍｍ、プロング厚（Ｔ）＝０．１０ｍｍ、
プロング長（Ｌ）＝２．６ｍｍ、プロング幅（Ｗ）＝０．２６ｍｍ、プロング厚（Ｔ）＝０．１２ｍｍ、
プロング長（Ｌ）＝３．９８ｍｍ、プロング幅（Ｗ）＝０．６０ｍｍ、プロング厚（Ｔ）＝０．４０ｍｍ、及び
プロング長（Ｌ）＝３．７５ｍｍ、プロング幅（Ｗ）＝０．６０ｍｍ、プロング厚（Ｔ）＝０．３４ｍｍ。
【００９４】
トランスデューサは第１のトランスデューサとすることができ、デバイスは、振動を発するための第２のトランスデューサ、例えば、圧電トランスデューサなどの電気音響トランスデューサ、例えば水晶共振器をさらに備えることができ、この方法は、デバイスの真正性を決定するために第２のトランスデューサの振動に由来するデバイスからの振動を検出するステップを含む。
【００９５】
この方法は、第２のトランスデューサの振動に由来するデバイスからの振動の１つ又は複数の成分周波数を識別するステップと、デバイスを認証するために、識別された成分周波数のうちの１つ又は複数を１つ又は複数の基準周波数と比較するステップとをさらに含むことができる。
【００９６】
識別された成分周波数のうちの１つ又は複数を１つ又は複数の基準周波数と比較するステップは、デバイスを認証するために第２のトランスデューサの共振周波数及び／又は振動の補助の周波数を基準周波数と比較するステップを含むことができる。
【００９７】
デバイスは、デバイスからの振動において信号を符号化するために第２のトランスデューサの振動を変調するための変調器を備えることができ、この方法は、検出された振動を分析して、変調器によって符号化された信号を決定するステップをさらに含む。
【００９８】
変調器は、周波数変調器又は振幅変調器とすることができる。
【００９９】
変調器は、時間とともに変化する信号を符号化することができ、検出された振動を分析するステップは、デバイスからの振動を表す信号を復調して、変調器によって符号化された信号を決定するステップを含むことができる。
【０１００】
この方法は、決定された符号化信号をデバイスの基準情報と比較して、デバイスを認証するステップをさらに含むことができる。
【０１０１】
この方法は、比較に基づいてデバイスの真正性を決定するステップをさらに含むことができる。
【０１０２】
変調器によって符号化された信号は、デバイスを識別するための識別子、例えば、デバイスのシリアル番号を伝えることができる。
【０１０３】
デバイスの第２のトランスデューサは、時間管理目的に使用されないことがある。デバイスの第１のトランスデューサは、時間管理目的に使用することができる。
【０１０４】
第１のトランスデューサ及び第２のトランスデューサは各々共振周波数の振動を発することができ、第１のトランスデューサの共振周波数は、第２のトランスデューサの共振周波数と異なる。
【０１０５】
この方法は、検出された振動の少なくとも１つの特性を記憶して、デバイスを認証するための基準を作製するステップをさらに含むことができる。
【０１０６】
少なくとも１つの特性は、検出された振動の共振周波数、検出された振動の周期、検出された振動の１つ又は複数の成分周波数、検出された振動の大きさ、検出された振動の周期の時間的変化、検出された振動の周波数の時間的変化、及び検出された振動の大きさの時間的変化のうちの１つ又は複数を含むことができる。
【０１０７】
少なくとも１つの特性はデータベースに記憶することができる。
【０１０８】
デバイスは、計時器、例えば、腕時計とすることができる。トランスデューサは、計時器によって管理される時間を規制することができる。
【０１０９】
計時器は、モバイル電話の構成要素とすることができる。
【０１１０】
デバイスはモバイル電話とすることができる。
【０１１１】
さらに説明されるが、まだ主張されていないものは、デバイスを認証するためのデバイス認証システムであり、デバイスは、振動を発するための水晶共振器などのトランスデューサを備え、デバイス認証システムは、トランスデューサの振動に由来するデバイスからの振動を検出するための検出器を備え、システムは、本明細書で説明する方法を実行するのに好適であり、任意選択で、検出器は、分析のために振動を電気信号に変換するためのトランスデューサを備え、システムは、任意選択で、電気信号を処理するためのプロセッサをさらに備える。
【０１１２】
さらに説明されるが、まだ主張されていないものは、振動を発するためのトランスデューサを備えるデバイスを認証するコンピュータ実施の方法であり、この方法は、デバイスの真正性を決定するためにトランスデューサの振動に由来するデバイスの検出された振動を検出するステップを含む。
【０１１３】
検出された振動を分析するステップは、デバイスの真正性を決定するために、検出された振動をデバイスの基準情報と比較するステップを含むことができる。
【０１１４】
コンピュータ実施の方法は、比較に基づいてデバイスの真正性を決定するステップをさらに含むことができる。
【０１１５】
デバイスの検出された振動を分析するステップは、振動の１つ又は複数の成分周波数を決定するステップを含むことができる。
【０１１６】
デバイスの検出された振動を分析するステップは、トランスデューサの共振周波数を識別するステップを含むことができる。
【０１１７】
コンピュータ実施の方法は、識別された共振周波数をデバイスの基準共振周波数と比較するステップをさらに含むことができる。
【０１１８】
デバイスは、トランスデューサの振動を変調するための変調器、好ましくは、周波数変調器を備えることができ、及び／又はデバイスは、振動を発するための第２のトランスデューサと、デバイスからの振動において信号を符号化するために第２のトランスデューサの振動を変調するための変調器とを備えることができ、コンピュータ実施の方法は、検出された振動を分析して、１つ又は複数の変調器によって符号化された信号を決定するステップを含む。
【０１１９】
検出された振動を分析するステップは、デバイスの振動を表す信号を復調して、符号化された信号を決定するステップを含むことができる。
【０１２０】
さらに説明されるが、まだ主張されていないものは、コンピュータでの実行のための実行可能命令を含むコンピュータプログラムであり、実行可能命令は、本明細書で説明する方法を実行するように実行可能である。
【０１２１】
デバイスは、振動を発するための第１のトランスデューサと、デバイスを認証するための振動を発するための１つ又は複数の第２のトランスデューサと、デバイスからの振動において信号を符号化するために第１のトランスデューサの振動を変調するための変調器とを備えることができる。第１のトランスデューサは、デバイスによって管理された時間を規制するために使用することができる水晶共振器を備えることができる。第２のトランスデューサは水晶共振器を備えることができる。デバイスは、デバイスからの振動において信号を符号化するために第２のトランスデューサの振動を変調するための変調器を備えることができる。デバイスは計時器とすることができる。
【０１２２】
デバイスは、デバイスからの振動において信号を符号化するために、水晶共振器とすることができるトランスデューサの振動を変調するための変調器を備えることができる。任意選択で、変調器は、周波数変調器、振幅変調器、及び位相変調器のうちの１つ又は複数とすることができる。変調器の変調信号はアナログ信号とすることができる。変調器の変調信号はデジタル信号とすることができる。周波数変調は周波数キーシフティングを含むことができる。周波数変調は振幅キーシフティングを含むことができる。周波数変調は位相シフトキーイングを含むことができる。デバイスは計時器とすることができる。
【０１２３】
デバイスは、振動を発するためのトランスデューサ、例えば、圧電トランスデューサなどの電気音響トランスデューサ、例えば水晶共振器を備えることができ、この方法は、デバイスの真正性を決定するためにトランスデューサの振動に由来するデバイスの振動を検出するステップを含む。デバイスのトランスデューサは、音響信号を発生することができる任意のトランスデューサとすることができる。デバイスのトランスデューサの主要な又は唯一の機能は、デバイスを認証するために振動を発するためのものとすることができる。
【０１２４】
デバイスは、振動を発するための第１のトランスデューサと、振動を発するための第２のトランスデューサとを備えることができる。デバイスは計時器とすることができる。第１のトランスデューサは水晶共振器を備えることができる。第２のトランスデューサは水晶共振器を備えることができる。第１のトランスデューサからの振動は、所定の特性だけ第２のトランスデューサからの振動と異なることができ、例えば第１のトランスデューサが水晶共振器を備え、第２のトランスデューサが水晶共振器を備える場合、第１の水晶共振器の共振周波数は、所定の特性だけ第２の水晶共振器の共振周波数と異なることができる。第１の水晶共振器の共振周波数は、第２の水晶共振器の共振周波数の２倍とすることができる。第１のトランスデューサからの振動と第２のトランスデューサからの振動との間の特性の差は、特定のデバイスの基準として記憶することができる。デバイスの検出された振動を分析して、測定された特性を決定し、腕時計を認証するためにこの測定された特性を基準特性差と比較することによって、デバイスを認証することができる。基準特性は、デバイスのシリアル番号と対照して、例えばデータベースに記憶することができる。測定された特性が、基準特性と同じであるか又は基準特性のある一定の許容範囲内にある場合、デバイスは真正であると見なすことができる。
【０１２５】
デバイスは、２つの水晶共振器、言い換えれば第１の水晶共振器及び第２の水晶共振器を備えることができる。第１の水晶共振器及び第２の水晶共振器のうちの一方は、デバイスの時を刻むために使用することができ、第１の水晶共振器及び第２の水晶共振器の他方は、デバイスの時を刻むために使用されないことがある。計時器は、時間管理目的のための第１の水晶共振器と、認証目的のための第２の水晶共振器とを備えることができる。
【０１２６】
デバイスは、第２のトランスデューサ、例えば、水晶共振器を備えることができる。デバイスは、デバイスからの振動において信号を符号化するために第２のトランスデューサの振動を変調するための変調器を備えることができる。変調器は、周波数変調器、振幅変調器、及び位相変調器のうちの１つ又は複数とすることができる。符号化された信号は、例えばデバイスのシリアル番号を伝える任意のメッセージ又は所定のメッセージとすることができる。このようにして、デバイスは、第１のトランスデューサ、例えば水晶共振器と、第２のトランスデューサ、例えば水晶共振器とを備えることができる。デバイスは、２つの変調器を備えることができ、それらのうちの第１の変調器は第１のトランスデューサの振動を変調し、それらのうちの第２の変調器は第２のトランスデューサの振動を変調する。第１の変調器によって符号化された信号は、第２の変調器によって符号化された信号と異なることができる。
【０１２７】
振動を分析するステップは、検出された振動を基準情報と比較する前に振動を処理するステップを含むことができ、好ましくは、振動を処理するステップは、フィルタ処理するステップ、混合するステップ、及び復調するステップのうちの１つ又は複数を含む。
【０１２８】
[0030]本発明、並びに本発明の他の目的及びさらなる特徴のより完全な理解のために、以下の例示的で非限定の図面と一緒に本発明の以下の詳細な説明を参照することができる。
【図面の簡単な説明】
【０１２９】
【図１】音叉の形状の水晶結晶板を示す図である。
【図２】同じモデル及び製造業者の５つの異なる腕時計で測定された信号の例示的な正規化電力スペクトルを示す図である。
【図３】異なる時間に得られた同じ腕時計で測定された信号の例示的な正規化電力スペクトルを、見やすいようにスペクトルを垂直にオフセットして示している図である。
【図４】同じモデル及び製造業者の３つのモバイルフォンで測定された信号の例示的な正規化電力スペクトルを示す図である。
【図５】異なる時間に得られた同じモバイルフォンで測定された信号の例示的な正規化電力スペクトルを示す図である。
【図６】約３２７６８．５Ｈｚの固有周波数が１Ｈｚ（下部）、２Ｈｚ（中間）、及び４Ｈｚ（上部）で変調された状態の水晶発振器で測定された信号の例示的な電力スペクトルを示す図である。
【図７】図６のものと同じ水晶発振器の例示的な復調信号を示す図であり、発信器は、連続する５秒間隔に、それぞれ１Ｈｚ、２Ｈｚ、３Ｈｚ、４Ｈｚ、５Ｈｚ、４Ｈｚ、３Ｈｚ、２Ｈｚ、１Ｈｚで変調されている。
【図８】約３２７６８．３９Ｈｚの固有周波数ｆ０をもつ水晶発振器と、それぞれ周波数ｆ０−１００Ｈｚ及びｆ０＋１００Ｈｚの２つの正弦波で励振される圧電トランスデューサとを組み込んでいるデバイスで測定された信号の例示的な電力スペクトルを示す図である。
【図９Ａ】異なる計時器の実施形態の分析を示す流れ図である。
【図９Ｂ】図９Ａに続く流れ図である。
【図１０】本発明の実施形態による、プロセスを管理するための例示的な環境を示す図である。
【図１１】本発明の実施形態の態様を実行するための例示的な流れを示す図である。
【図１２】本発明の実施形態の態様を実行するための例示的な流れを示す図である。
【発明を実施するための形態】
【０１３０】
参照番号は、図面の様々な図の全体にわたって本発明の同じ又は均等な部分を参照する。
【０１３１】
以下の説明において、本発明の様々な実施形態は添付図面に対して説明されることになる。
【０１３２】
本明細書に示す詳細は、例であり、単に本発明の実施形態の例示的な議論を目的としており、本発明の原理及び概念の態様の最も有用で容易に理解される説明となると考えられるものを提供するために提示される。この点に関して、本発明を基本的に理解するのに必要である以上に詳しく本発明の構造の詳細を示す試みはなされておらず、図面とともに行われる説明は、本発明の形態がどのように実際に具現されるかを当業者に明らかにする。
【０１３３】
本明細書で使用する単数形「１つの（ａ）」、「１つの（ａｎ）」、及び「その（ｔｈｅ）」は、文脈が明確に特に指示していない限り、複数の参照を含む。例えば、「磁性材料」への言及は、さらに、特別に除外されない限り、１つ又は複数の磁性材料の混合物が存在し得ることを意味することになる。
【０１３４】
特に示された場合を除いて、明細書及び特許請求の範囲に使用されている周波数、時間などの物理量を表すすべての数値は、すべての場合に「約（ａｂｏｕｔ）」という用語によって修飾されているとして理解されたい。それに応じて、そうでないと指示されない限り、明細書及び特許請求の範囲に記載されている数値パラメータは、本発明によって得られるように努められる所望の性質に応じて変り得る近似値である。少なくとも、及び特許請求の範囲の範囲への均等物の適用を限定する試みと見なすのではなく、各数値パラメータは、有効桁数及び通常の丸め法に照らして解釈されるべきである。
【０１３５】
追加として、この明細書内の数値範囲の列挙は、その範囲内のすべての数値及び範囲の開示であると見なされる。例えば、範囲が約１から約５０である場合、例えば、１、７、３４、４６．１、２３．７、又は範囲内の任意の他の値若しくは範囲を含むと見なされる。
【０１３６】
以下において、音響は、特に指示がない限り、可聴音、可聴下音（ｓｕｂ−ｓｏｎｉｃ）、及び超音波範囲を包含するように意図されている。音響という語は、振動が人間の可聴範囲内にあるように限定していない。
【０１３７】
本明細書に開示される様々な実施形態は、そうでないと特別に述べられない限り、別々に及び様々な組合せで使用することができる。
【０１３８】
クォーツ時計は、時を刻むために水晶結晶板によって規制される電子発振器を使用する時計である。この水晶発振器は非常に正確な周波数をもつ信号を作り出し、その結果、クォーツ時計は、機械時計よりも少なくとも１桁正確である。一般に、ある形態のデジタル論理回路は、この信号のサイクルを計数し、通常、時、分、及び秒の単位で、数値時間表示を行う。
【０１３９】
水晶には、温度が変動したとき、サイズがほとんど変化しないというさらなる利点がある。溶融水晶（ｆｕｓｅｄ  ｑｕａｒｔｚ）は、多くの場合、サイズに基づく水晶板の共振周波数が著しく上昇又は下降しないので、温度とともに形状を変化させてはならない実験室用機器に使用される。同様に、クォーツ時計は、その共振器が形状を変化させないので、温度が変化したとき比較的正確なままであることになる。
【０１４０】
結晶が振動する周波数は、結晶の形状、サイズ、及び水晶がカットされた結晶面によって決まる。電極が配置される位置もやはりチューニングをわずかに変化させることがある。結晶が正確に整形され位置づけられた場合、結晶は所望の周波数で振動することになる。置時計及び腕時計では、周波数は通常３２７６８Ｈｚであり、結晶は特定の結晶面で小さい音叉形状にカットされる。この周波数は、２の冪乗であり、ほとんどの人々がそれを聞くことができないぎりぎりの高さであり、さらに、安価なカウンタが１秒のパルスを引き出すことができるほど十分に低い。この周波数で駆動される１５ビット２進デジタルカウンタは、毎秒１回オーバーフローし、デジタルパルスを毎秒１回生成することになる。パルス／秒の出力を使用して、多くの種類の時計を駆動することができる。
【０１４１】
図１は、音叉の形状にカットされた、プロング長（Ｌ）、プロング幅（Ｗ）、及びプロング厚（Ｔ）の水晶結晶板を示す。水晶共振器は、２．４ｍｍのプロング長、０．２４ｍｍのプロング幅、及び０．１３ｍｍのプロング厚を有することができる。
【０１４２】
時計結晶の結晶面及びチューニングは、人の手首上の腕時計の内部の標準温度の２５℃で最良に動作するように設計されている。正しく設計された腕時計ケースは、人体の安定した温度を使用して最も正確な温度範囲に結晶を保持する好都合な結晶オーブンを形成する。
【０１４３】
最近のクォーツ時計では、水晶結晶板共振器又は発振器は、３２７６８Ｈｚで振動するようにレーザトリミングされた又は高精度にラッピングされた小さい音叉の形状のものである。この周波数は、２１５サイクル／秒に等しい。簡単な一連のデジタル２分周段が、腕時計の秒針を駆動するのに必要とされる１Ｈｚ信号を引き出すことができるように、２の冪乗が選ばれる。
【０１４４】
３２７６８に近い他の周波数も使用され、その場合、カウンタは、毎秒適切な数のパルスを計数するように調節される。
【０１４５】
ほとんどの時計では、共振器は、約４ｍｍ長の小さい缶又は平坦なパッケージ中に存在する。３２７６８Ｈｚの共振器がそのように一般的になった理由は、腕時計のための低周波数結晶の大きい物理的サイズと、腕時計バッテリの寿命を減少させる高周波数結晶の大きい電流ドレインとの間の妥協のためである。
【０１４６】
いくつかの電気作動デバイスは、その内部の内容物に特有の振動を発することが見いだされている。電気作動デバイスの注目すべき例には、水晶腕時計及びモバイルデバイス（例えば、モバイル電話）が含まれる。モバイル電話は、例えば、適切な時間を維持するためにマイクロプロセッサに依存するのでなく、代わりに、クォーツ時計を利用する。発せられた振動は、デバイスを開けることなく測定することができ、本発明の実施形態によれば、振動の特性を認証及び／又は識別の目的に使用することができる。さらに、本発明の実施形態によれば、デバイスは、特定の情報（例えば、識別子）を符号化している振動を発するように合わせることができる。
【０１４７】
本発明の実施形態では、トランスデューサは、検査下の物品の振動を測定可能な信号に変換するために使用され、次に、測定可能な信号は、さらに、処理され、記録され、分析され、記憶され、及び／又は基準信号と比較される。
【０１４８】
例示のトランスデューサは、振動を電気信号に変換するマイクロホン、加速度計、又は振動計を含む。圧電気タイプの接触マイクロホンは、この目的に十分に適合しており、その理由は、この種のデバイスが、安価であり、目標振動に敏感であり、空中音響環境（例えば、周囲）雑音の影響を受けないことが可能であるからである。ひとたび信号が捕捉されれば、信号を処理して、情報が信号から抽出される。
【０１４９】
本発明の実施形態において、処理は、例えば、アナログ−デジタル変換、増幅、フィルタ処理（アナログ／デジタル）、及び／又は時間ドメイン、周波数ドメイン、及び／又は時間−周波数ドメインへの、及び／又は時間ドメイン、周波数ドメイン、及び／又は時間−周波数ドメインからの数学的変換を含むことができる。
【０１５０】
１つの例示的な実施形態では、トランスデューサは、Ｗｉｔｓｃｈｉ  Ｅｌｅｃｔｒｏｎｉｃ，  Ｌｔｄが供給しているスタンドマイクロホンモデル１３．１７２０である。マイクロホンからの信号は、サウンドカードを使用して１６ビット、９６ｋＨｚでサンプリングされ、信号の約４５秒の長さがデジタル形態で記録される。次に、デジタル信号は、高速フーリエ変換アルゴリズムを使用して時間ドメインにさらに変換される。
【０１５１】
図２は、本発明の実施形態による同じモデル及び製造業者の５つの異なる腕時計で測定された信号の例示的な正規化電力スペクトルを示す。図２に示すように、表示されたスペクトルの各々は３７７７０Ｈｚのまわりに目立つピークを有すること、しかし、さらに、ピークの各々がわずかに異なる周波数を有することが明らかである。
【０１５２】
本発明の実施形態の態様によれば、ほぼ３７７７０Ｈｚのまわりの目立つピークは、試験される腕時計の特定のモデル及び製造業者の本物の腕時計のすべてがほぼ３２７６９．５〜３２７７０．５Ｈｚの範囲にピークを表示するということに基づいて腕時計の包括的認証試験に使用することができる。本発明の実施形態の態様によれば、同じ手法が、所与のクラス（例えば、モデル、製造業者、タイプなど）に由来する腕時計のすべてに使用され得る。
【０１５３】
本発明の実施形態の態様によれば、ピークの各々のわずかに異なる周波数が、所与の個々の腕時計が特別な周波数にピークを有すると予測されることに基づいて個々の腕時計を認証するのに使用され得る。それ故に、異なる周波数にピークを有する同じシリアル番号の偽造物は、そういうものとして直ちに識別され、真正物品として不適格であると見なされることになる。
【０１５４】
本発明の実施形態において、ピークの位置は、中心周波数、ピーク周波数、及び／又は重み付けされた周波数によって都合よく明確に定めることができる。追加として、ピークの位置は、当業者に知られている他の方法を使用して、例えば、適切な関数（ローレンツィアン、ガウシャンなど）のデータへの最小二乗フィッティングなどによって都合よく明確に定めることができる。
【０１５５】
与えられた例では、周波数ドメインのピークはかなり鋭く、信号対雑音比はかなり高い。これらの特徴は両方とも、ピークの位置を突き止めることができる精度（１／１００Ｈｚまで下がった、又はそれよりも良好な）に好ましい影響を及ぼす。これは、次には、測定値の区別力に好ましい影響を及ぼす。
【０１５６】
それにより、腕時計の水晶からの測定された共振周波数は、腕時計の基準共振周波数と比較される。水晶からの測定された共振周波数が、基準共振周波数と同じであるか、又は基準共振周波数の事前定義された許容範囲内にある場合、デバイスは真正であると見なされる。基準データは、本物の腕時計からの振動を測定し、測定された振動の特性を基準として、例えばデータベースに、記憶することによって早い時点に作り出されたものとすることができる。基準データは、腕時計のシリアル番号などの製品識別子と対照して記憶することができる。
【０１５７】
任意選択で、水晶共振器の共振周波数とは別にデバイスからの又はデバイスの振動の別の１つ又は複数の成分周波数を、測定し、デバイスを認証するためにデバイスの１つ又は複数の基準周波数と比較することができる。スペクトルのそれほど目立たないピーク又は補助の成分周波数を比較することができる。
【０１５８】
水晶自体以外のデバイスの部品から生じる、測定された音響信号のスペクトルの追加の周波数を考慮に入れることができる。腕時計の場合には、これらは、針を駆動するモータによって発生される振動と、針が動くときに発せられるカチカチという雑音と、腕時計の機能に関連する他の動作とを含むことができる。信号は、測定された振動を基準データと比較する前に事前処理することができる。例えば、腕時計の針の動きに関連するより大きい音響を抑制し、針の動きが完了した後に残っている弱い雑音を増強するように、信号を事前処理することができる。発明者等は、これを静寂ゾーンスペクトルと呼ぶが、その理由は、針が動いているときの比較的短い時間間隔の中間の、針が動いていないときの比較的長い時間間隔から主要な寄与が生じるからである。比較される情報の量を増やすと、認証試験の説得力が強化される。
【０１５９】
図３は、本発明の実施形態による異なる時間に同じ腕時計で測定された信号の例示的な正規化電力スペクトルを示す。図３に示すように、スペクトルは、見やすいように垂直にオフセットされている。図３において同じ腕時計の繰返し測定で示されているように、ピーク位置は、やはり、かなり安定しており、再現性よく測定することができる。周波数ピークは、すべての測定で同じ位置に一貫して信頼性高く見いだされている。
【０１６０】
モバイルデバイス（例えば、モバイルフォン）は同じ識別／認証手法を利用することができる。図４及び図５に示すように、同じモデル及び製造業者のいくつかのモバイルフォンが分析されており、上述で論じた、腕時計と同様の結果を伴っていた。
【０１６１】
図４は、同じモデル及び製造業者の３つのモバイルフォンで測定された信号の例示的な正規化電力スペクトルを示す。図４に示すように、表示されたスペクトルの各々はほぼ３２７６８．５Ｈｚ〜３２７６９．０Ｈｚのまわりに目立つピークを有すること、しかし、さらに、ピークの各々がわずかに異なる周波数を有することが明らかである。
【０１６２】
図５は、異なる時間に同じモバイルフォンで測定された信号の例示的な正規化電力スペクトルを示す。図５において同じモバイルフォンの繰返し測定で示されているように、ピーク位置は、やはり、かなり安定しており、再現性よく測定することができる。周波数ピークは、すべての測定で同じ位置に一貫して信頼性高く見いだされている。
【０１６３】
本発明のさらなる実施形態によれば、デバイスは、例えば、識別子として使用することができる特定の情報を符号化する振動を発するように合わせることができる。例示的な実施形態では、デバイスの水晶共振器の周波数は、変調信号ν（ｔ）を用いて電子回路によって固有周波数のまわりに変調することができる。変調器は、水晶共振器の振動の周波数、振幅、及び位相のうちの１つ又は複数を変調することができる。変調信号は、時間の関数として変動することができる。前の実施形態におけるような装置を使用して、発生された振動に対応する信号Ｓｏｕｔ（ｔ）を取得することができる。変調信号ν（ｔ）は、当業者に知られているような適切な信号処理で回復することができる。
【０１６４】
図６は、本発明の実施形態による、約３２７６８．５Ｈｚの固有周波数が１Ｈｚ（下部）、２Ｈｚ（中間）、及び４Ｈｚ（上部）で変調された状態の水晶発振器で測定された信号の例示的な電力スペクトルを示す。図６に示すように、変調信号ν（ｔ）としてそれぞれ１、２、及び４Ｈｚの正弦波を使用し、信号Ｓｏｕｔ（ｔ）のフーリエ変換を使用して、３つの結果が得られている。非限定の例において、３つのスペクトルは、それぞれ、数値１、２、及び４を符号化するように明確に定めることができる。
【０１６５】
図７は、図６のものと同じ水晶発振器の例示的な復調信号を示しており、発振器は、本発明の実施形態に従って、連続する５秒間隔に、それぞれ１Ｈｚ、２Ｈｚ、３Ｈｚ、４Ｈｚ、５Ｈｚ、４Ｈｚ、３Ｈｚ、２Ｈｚ、１Ｈｚで変調されている。図７は、ほぼ５秒の長さの連続する時間間隔の間、変調信号ν（ｔ）として、それぞれ、１、２、３、４、５、４、３、２、及び１Ｈｚの正弦波を使用して得られた結果を示す。次に、信号Ｓｏｕｔ（ｔ）は、発振器の固有周波数（３２７６８．５１７８Ｈｚ）において信号Ｓｏｕｔ（ｔ）に正弦波を掛けて数値的に復調される。非限定の例では、信号は、数列１２３４５４３２１を符号化するように明確に定めることができる。
【０１６６】
数列は、対象物に存在する別の識別子（例えば、対象物のシリアル番号）と連結させることができる。
【０１６７】
本発明のさらなる実施形態によれば、音響振動を発生することができる第２の要素又はトランスデューサ、例えば、圧電トランスデューサなどの電気音響トランスデューサ、例えば水晶共振器がデバイスに追加される。特別な情報を、この第２の要素によって発生された振動において符号化することができる。実施形態において、第２の要素は、例えば、第２の水晶とすることができる。
【０１６８】
図８は、本発明の実施形態による、約３２７６８．３９Ｈｚの固有周波数ｆ０をもつ水晶発振器と、それぞれ周波数ｆ０−１００Ｈｚ及びｆ０＋１００Ｈｚの２つの正弦波で励振される圧電トランスデューサとを組み込んでいるデバイスの例示的なスペクトルを示す。図８は、第２の要素の励起信号ｕ（ｔ）としてそれぞれ周波数ｆ０−１００Ｈｚ及びｆ０＋１００Ｈｚの２つの正弦波を使用し、信号Ｓｏｕｔ（ｔ）のフーリエ変換を使用することによって得られた例示的で非限定の結果を示す。非限定の例において、スペクトルは、それぞれ、数値−１００及び１００を符号化するように明確に定めることができる。ここで与えられた例は、限定ととられるべきでない。他の信号を変調及び／又は励振として使用することができ、本発明は他の符号化方式を想定している。
【０１６９】
実施形態において、計時器は、第１の電気音響トランスデューサと、第２の電気音響トランスデューサとを含むことができる。第１の電気音響トランスデューサは、時間管理目的に専用の水晶要素とすることができ、第２の電気音響トランスデューサは、識別又は認証目的に専用とすることができる。実施形態において、第２の電気音響トランスデューサは、所定のメッセージ又は任意のメッセージを一斉送信するように設計することができる。実施形態において、第２のトランスデューサは、やはり、水晶発振器であり、時間管理目的に使用されない。
【０１７０】
実施形態において、２つの電気音響トランスデューサを有する計時器では、第１のトランスデューサを第２のトランスデューサに連結することができる。例示的で非限定の実施形態では、第１の水晶要素を第２の水晶要素に相関させることができる（例えば、それらの周波数は所定の値だけオフセットすることができる）。さらなる例示的で非限定の実施形態では、第２の水晶要素は第１の水晶要素に基づいて設計することができる。
【０１７１】
さらなる実施形態において、計時器は、２つを超える（例えば、３つの）電気音響トランスデューサを含むことができ、第１のものは、時間管理目的に専用の水晶要素であり、残りの（例えば、２つの）ものは、識別又は認証目的に専用である。実施形態において、第２のトランスデューサは、所定のメッセージ又は任意のメッセージを一斉送信するように設計することができる。
【０１７２】
デバイスのための水晶は、異なる水晶結晶板間にある範囲の可変性（例えば、狭い可変性動）を生成するように製造することができ、その結果、水晶結晶板の結果として生じるピーク周波数は、近い（例えば、可変性の範囲内である）が、正確には同じ（例えば、独自）ではない。本発明の態様によれば、水晶は、識別の「一般的な」製造元及び／又はモデルレベルと、「特別な」個々の認証との両方を可能にするある範囲の可変性を生成するように製造することができる。
【０１７３】
本発明のさらなる実施形態では、計時器は、時間管理目的及び識別目的の両方に専用の単一の水晶要素を含むことができる。例えば、単一の水晶は、パルス（時間管理のための）を発生するための第１の周波数を発し、その上、例えば、同時に、認証メッセージを符号化するのに使用される第２の周波数を発するように設計することができる。
【０１７４】
追加の実施形態では、計時器は、時間管理目的に専用の単一の水晶要素と、識別目的に専用のトランスデューサとを含むことができる。実施形態において、トランスデューサは、圧電トランスデューサとすることができる。
【０１７５】
本発明の実施形態の精度の信頼性及び程度は、同一モデルの計時器間の差さえも識別することが可能であるようなものであることが本発明の実施形態の発明者等によって観察された。実際、製造上の公差のために、同一のモデルの２つの計時器でさえ互いに異なる。本発明で強調している原理を同じシリーズ及び同じ製造業者からの異なる計時器に適用するとき、対応する音響測定値が異なり、それぞれの計時器の指紋を特徴づける抽出された関連するそれぞれの周波数情報は異なることが見て分かる。それ故に、識別子（例えば、独自の識別子）は、計時器を開ける必要なしに計時器を明確に定めることができる。
【０１７６】
図２及び図４に示されているように、異なるモデルの製品（例えば、それぞれ、計時器及びモバイルフォン）は、異なる特有の時間−周波数表示を有することになる。その結果、認証されるべき計時器の時間−周波数表示を、この特定の計時器モデルで予測される基準時間−周波数表示と比較することによって、認証されるべき計時器に関する真正性情報を引き出すことができる。それ故に、認証されるべき計時器が真正の製品か又は偽造の製品かを引き出すことができる。追加として、図２に示したように、同じモデルの腕時計は異なる時間−周波数表示を示すことができ、その結果、時間−周波数表示は特定の計時器の独自の識別子として使用することができる。
【０１７７】
特定の計時器の上述の測定値は、ある期間にわたって変化しない（すなわち、安定したままである）はずである。例えば、腕時計の構成要素が触れられないか又は操作されない限り、特定の計時器の上述の測定値は変化しない。当然、計時器の保守では（例えば、計時器が開けられたとき）、上述の測定値は影響されることがある。したがって、計時器保守が実行されたとき（例えば、計時器が開けられたとき）、計時器は再認証されるべきである（例えば、計時器の水晶のピーク周波数が再捕捉されるべきであり、上述の測定のうちの１つ又は複数についての結果は識別され記憶されるべきである）。実施形態において、ひとたび計時器が再認証されれば、上述の測定のうちの１つ又は複数についての結果は、さらに、例えばデータベース中の計時器識別子（例えば、計時器シリアル番号）と連結させることができる。
【０１７８】
計時器の上述の測定値は、ある期間にわたって変化しないはずであるが、本発明の実施形態は、それぞれの計時器の上述の測定値の一部はある期間にわたって変化する（例えば、わずかに）ことがあることを想定している。したがって、本発明の実施形態によれば、計時器の肯定的認証を決定するための閾値を、計時器の経年数に基づいて構成する（例えば、低下させる）ことができる。すなわち、実施形態において、より古い計時器は、記憶されている時間測定値、周波数測定値、及び／又は大きさ測定値（又は測定値に基づく記憶されている識別子）との比較を介して、肯定的認証のためにより低い閾値に従うことができる。実施形態において、計時器は、経時的な計時器の変化（ｅｖｏｌｕｔｉｏｎ）（例えば、任意の特性変化）に対処するために定期的に（例えば、年１回）再認証することができる。
【０１７９】
さらなる想定している実施形態では、計時器の分析は、２つのレベル（例えば、それほど強くない第１のレベル及びより強い第２のレベル）とすることができる。例えば、第１のレベルの分析（例えば、初期評価）では、計時器が真正である（すなわち、特定の製造元及びモデルとして認証されている）かどうかを決定するために、計時器は、製造元及びモデルによって（例えば、ある範囲の周波数内のピークを使用して）識別することができる。この第１のレベルの分析では、評価により、例えば、計時器が実際に特定の製造元及び／又はモデルであることが決定され得る。第２のレベルの分析は、計時器の独自の「指紋」を識別するために、発せられた音響のより深い分析（例えば、特別なピーク、又はある範囲の周波数内のピークを使用する）を含むことができる。この独自の「指紋」は、データベースに記憶し、及び／又は計時器を肯定的に識別するのに以前に記憶された指紋と比較することができる。実施形態において、第１及び第２のレベルの分析のいずれか又は両方を、新しい計時器で、又は以前に分析されなかった中古の計時器で行うことができる。
【０１８０】
図９Ａ及び図９Ｂは、異なる計時器の実施形態の分析を示す流れ図である。音響信号が、ステップ９００において計時器から取得される。計時器は、水晶結晶板ＱＣ１を備える水晶ベース電子発振器Ｑ０１（すなわち、共振周波数が時間基準として働く圧電機械共振器）と、水晶結晶板を駆動し、腕時計の時間基準として働く振動電子信号を発生するのに使用される電子回路ＥＩ０１とを備える。計時器が追加のトランスデューサを有していない場合、ステップ９０４において、水晶ベース電子発振器Ｑ０１が改変されているかどうか、例えば、回路からの音響信号を変調する変調器がそこにあるかどうかが決定される。水晶ベース電子発振器Ｑ０１が改変されていない場合、ステップ９０６において、水晶結晶板Ｑ０１の振動に由来する測定された振動を選択的に分析することが可能であるか、又は水晶結晶板Ｑ０１の振動に由来し、及び計時器の他の構成要素の振動に、例えば、腕時計の針を駆動するモータによって発生される振動などに由来する測定された振動、又は針が動くときに発せられるカチカチという雑音を分析することが可能である。
【０１８１】
水晶結晶板Ｑ０１の振動に由来する測定された振動のみを分析することができる場合、ステップ９０８において、測定された信号のフーリエ変換が得られる。次に、ステップ９１０において、スペクトルの主ピークの周波数が、認証目的に使用される。スペクトルの主ピークの周波数が、決定され、記憶されるか、又は認証目的のためにステップ９１２において基準周波数と比較される。任意選択で、スペクトルのそれほど目立たないか又は補助のピークの特性を、認証目的に使用することができる。それほど目立たないピークの特性、例えば、その周波数などが、ステップ９１４において、記憶されるか、又は基準特性と比較され得る。比較される情報の量を増やすと、試験の説得力が強化される利点がある。
【０１８２】
ステップ９０６において、水晶結晶板Ｑ０１の振動に由来し、及び計時器の他の構成要素の振動に、例えば、腕時計の針を駆動するモータによって発生される振動などに由来する測定された振動、又は針が動くときに発せられるカチカチという雑音を分析することが可能である。ステップ９１６において、測定された振動の周波数を分析することが可能であり、その場合、ステップ９１８において、測定された信号のフーリエ変換を使用して、信号を周波数ドメインに変換する。次に、ステップ９２０において、スペクトルの主ピークの周波数が、決定され、記憶されるか、又は認証目的のために基準周波数と比較され、及び／又はスペクトルのそれほど目立たないピーク又は補助のピークの特性が、記憶されるか、又は認証目的のために基準特性と比較される。
【０１８３】
ステップ９１６において、追加として、他の認証分析を信号に実行すること、例えば、ステップ９２２において、ウェーブレット変換などの時間−周波数ドメイン変換などの別の変換を信号に実行することが可能である。分析のために、スペクトログラムを作り出すことができる。変換の特性が、ステップ９２４において、記憶されるか、又は分析のための基準データと比較される。
【０１８４】
ステップ９０４に戻ると、水晶ベース電子発振器Ｑ０１が改変されている場合、オプション９２６において、水晶結晶板に由来する振動を改変することが可能であり、その場合、ボックス９２８に示すように、ブランチ１ａと同じ手順及びボックス９０６に基づいて概説したような対応するオプションに従う。
【０１８５】
水晶結晶板を駆動し、腕時計ＥＩ０１の時間基準として働く振動電子信号を発生するのに使用される電子回路を、変調器で改変すること、及び／又は腕時計ＥＩＤ１を駆動し動作させるのに使用される電子／電気機械回路を、変調器で改変する、すなわち、例えば、基準の発振を計数し、計時器がアナログ計時器である場合に計時器の針を進め、計時器がデジタル計時器である場合に計時器のディスプレイを駆動する構成要素を改変することが可能である。ボックス９３０に示されるように、１つ又は複数の構成要素からの振動の振幅又は周波数を変調するために変調器を設けることができる。ボックス９４４に示されるように、他の変調方式も可能である。ボックス９３２に示されるように、構成要素のうちの１つ又は複数からの振動の周波数を分析することが可能であり、その場合、ボックス９３４に示されるように、測定された信号のフーリエ変換を使用することができる。次に、ステップ９３６において、フーリエ変換からのデータは、記憶されるか、又は認証目的のために基準周波数と比較される。
【０１８６】
ステップ９３２において、信号への他の認証分析を実行する、例えば、ステップ９３８において信号を時間ドメインに復調することが可能である。復調は、ＡＭ／ＦＭ無線伝送で知られているものと同じ方法で、搬送周波数の信号との非線形混合（アナログ及び／又はデジタル）によって行うことができる。次に、ステップ９４０において、復号されたメッセージを、予測されるメッセージと比較することができる。
【０１８７】
さらなる認証分析が、ステップ９４２に示されており、時間周波数情報が信号に実行される。時間−周波数ドメイン変換は、例えば、ウェーブレット、スペクトログラム、又は短時間フーリエ変換を含むことができる。
【０１８８】
ステップ９０２に示されるように、計時器が１つ又は複数の余分なトランスデューサを有する場合、ステップ９４６に示されるように、余分なトランスデューサは、水晶ベース電子発振器とすることが可能である。この場合、ステップ９４８に示されるように、ブランチ１で示されたものと同じ手順に従うことができる。余分なトランスデューサが水晶発振器でない場合、余分なトランスデューサは、ボックス９５０に示されるように、検出のために任意の信号を発することができる。トランスデューサ及び検出システム、例えば、周波数ホッピングなどのスペクトラム拡散技法、及び周波数シフトキーイングによってサポートされる任意の信号を送ることができる。ステップ９５２において、任意の信号を、復号し、予測されるメッセージと比較することができる。
【０１８９】
本明細書で説明する認証方法は、異なるデバイスで使用することができる。デバイスは計時器とすることができる。１つのデバイスにおいて、水晶は、時を刻むことなどの特別な機能を実行するために対象物の内部に本質的に存在する。水晶及び／又は水晶を駆動する電子回路は、改変されていないことがある（すなわち、現状のまま採用される）。水晶によって発生された音響信号のスペクトルの主ピークの周波数は、認証目的に使用することができる。任意選択で、区別情報の量を増加させるために、スペクトルのそれほど目立たないピークを認証目的に使用することができる。任意選択で、区別情報の量を増加させるために、対象物によって発生される他の音響信号（例えば、腕時計の針を駆動するモータによって発生される振動、針が動くときに発せられるカチカチという雑音など）を、認証目的で分析することができる。
【０１９０】
別のデバイスでは、水晶及び／又は水晶を駆動する電子回路は、水晶が発生する音響信号に追加情報を符号化するように改変されていることがある。水晶の主周波数は、周波数スペクトルにおいて１組の追加ピークを発生するために変調することができ（例えば、振幅変調及び／又は周波数変調）、これらのピークの周波数は、認証目的に（例えば、ピークの周波数をシリアル番号と連結することによって）使用することができる。水晶の主周波数は、時間可変信号（無線伝送におけるような）で変調することができ（例えば、振幅変調又は周波数変調）、発生された音響信号は、変調信号を回復するために復調することができる。他の方式も可能である。
【０１９１】
音響信号を発生することができる１つ又は複数の水晶又は他のトランスデューサは、認証の主な目的のために対象物に計画的に追加することができる。対象物は、他の目的（例えば、時間管理）のために使用される本質的な水晶を既に含んでいることもいないこともあり、対象物が含んでいる場合、水晶又は他のトランスデューサの信号を、本質的な水晶に計画的に連結させることができる。水晶又は他のトランスデューサは、改変されていないことがある（すなわち、現状のまま採用される）。水晶又はトランスデューサによって発生された音響信号のスペクトルの主ピークの周波数は、認証目的に使用することができる。任意選択で、区別情報の量を増加させるために、スペクトルのそれほど目立たないピークを認証目的に使用することができる。任意選択で、区別情報の量を増加させるために、対象物によって発生される他の音響信号（例えば、腕時計の針を駆動するモータによって発生される振動、針が動くときに発せられるカチカチという雑音など）を、認証目的で分析することができる。水晶又は他のトランスデューサが追加の機能（例えば、時間管理）を実行する必要がなくてもよいので、水晶又は他のトランスデューサの特性は、より自由に選ぶことができる。水晶又は他のトランスデューサは、音響信号を送り出す目的で巧みに実行されていることがある。この場合、信号は、例えば、シリアル番号などの製品識別子、又はメッセージを符号化するために任意に長く及び複雑にすることができる。
【０１９２】
腕時計及びモバイルデバイスに関して上述したが、本発明は、他の電気機器又はデバイスに適用することができる。
【０１９３】
システム環境
当業者によって十分理解されるように、本発明は、計時器、システム、方法、又はコンピュータプログラム製品として具現することができる。それに応じて、本発明は、完全にハードウェア実施形態、完全にソフトウェア実施形態（ファームウェア、常駐ソフトウェア、マイクロコードなどを含む）、又はすべて、一般に、本明細書で「回路」、「モジュール」、又は「システム」と呼ばれることがあるソフトウェア態様とハードウェア態様とを組み合わせた実施形態の形態をとることができる。その上に、本発明は、媒体に具現化されたコンピュータ使用可能プログラムコードを有する任意の有形表現媒体に具現化されたコンピュータプログラム製品の形態をとることができる。
【０１９４】
１つ又は複数のコンピュータ使用可能又はコンピュータ可読媒体（複数可）の任意の組合せを利用することができる。コンピュータ使用可能又はコンピュータ可読媒体は、例えば、限定はしないが、電子、磁気、光学、電磁気、赤外線、若しくは半導体システム、装置、デバイス、又は伝搬媒体とすることができる。コンピュータ可読媒体のより具体的な例（網羅的でないリスト）には、
１つ又は複数のワイヤを有する電気接続、
ポータブルコンピュータディスケット、
ハードディスク、
ランダムアクセスメモリ（ＲＡＭ）、
読取り専用メモリ（ＲＯＭ）、
消去可能プログラム可能読取り専用メモリ（ＥＰＲＯＭ又はフラッシュメモリ）、
光ファイバ、
ポータブルコンパクトディスク読取り専用メモリ（ＣＤＲＯＭ）、
光記憶デバイス、
インターネット又はイントラネットをサポートするものなどの伝送媒体、
磁気記憶デバイス
ＵＳＢキー、
証明書、
穿孔カード、及び／又は
モバイルフォン
が含まれる。
【０１９５】
本明細書との関連で、コンピュータ使用可能又はコンピュータ可読媒体は、命令実行システム、装置、又はデバイスによって又はそれに関連して使用するためのプログラムを含む、記憶する、通信する、伝搬する、又は移送することができる任意の媒体とすることができる。コンピュータ使用可能媒体は、ベースバンドで又は搬送波の一部として伝搬データ信号で具現化されたコンピュータ使用可能プログラムコードをもつ伝搬データ信号を含むことができる。コンピュータ使用可能プログラムコードは、限定はしないが、ワイヤレス、ワイヤライン、光ファイバケーブル、ＲＦなどを含む任意の適切な媒体を使用して伝送することができる。
【０１９６】
本発明の動作を実行するためのコンピュータプログラムコードは、Ｊａｖａ、Ｓｍａｌｌｔａｌｋ、Ｃ＋＋などのようなオブジェクト指向プログラミング言語、及び「Ｃ」プログラミング言語又は同様のプログラミング言語などの従来の手続きプログラミング言語を含む１つ又は複数のプログラミング言語の任意の組合せで書くことができる。プログラムコードは、完全にユーザのコンピュータ上で、部分的にユーザのコンピュータ上で、スタンドアロンソフトウェアパッケージとして、部分的にユーザのコンピュータ上及び部分的にリモートコンピュータ上又は完全にリモートコンピュータ若しくはサーバ上で実行することができる。後者のシナリオでは、リモートコンピュータは、任意のタイプのネットワークを通してユーザのコンピュータに接続することができる。これは、例えば、ローカルエリアネットワーク（ＬＡＮ）又は広域ネットワーク（ＷＡＮ）を含むことができ、又は接続が、外部コンピュータに対して（例えば、インターネットサービスプロバイダを使用してインターネットを介して）行われ得る。追加として、実施形態において、本発明は、フィールドプログラマブルゲートアレイ（ＦＰＧＡ）で具現化することができる。
【０１９７】
図１０は、本発明による、プロセスを管理するための例示的な環境１９００を示す。この点で、環境１９００は、本明細書で説明するプロセスを実行することができるサーバ又は他のコンピューティングシステム１９０５を含む。特に、サーバ１９０５は、コンピューティングデバイス１９１０を含む。コンピューティングデバイス１９１０は、サードパーティサービスプロバイダのネットワークインフラストラクチャ又はコンピューティングデバイス（それらのいずれも図１０に一般的に表されている）に常駐することができる。
【０１９８】
実施形態において、コンピューティングデバイス１９１０には、例えば、本明細書で説明しているプロセスの、１つ又は複数の検出された音響又は振動を測定し、電気信号から、又は時間、周波数、若しくは時間−周波数ドメインの前記電気信号の表示から、複数の音響事象又は検出された信号の特有な部分のうちの１つのものの大きさに関する大きさ情報、前記複数の音響事象のうちの前記１つに関する時間情報、及び前記複数の音響事象のうちの前記１つのものの周波数に関する周波数情報のうちの少なくとも１つを抽出し、抽出された情報に基づいて識別子を作り出し、抽出された情報を、記憶されている情報と比較し、真正性を決定するように動作可能である測定ツール１９４５、抽出ツール１９６５、識別ツール１９７０、比較ツール１９７５、及び真正性決定ツール１９８０が含まれる。測定ツール１９４５、抽出ツール１９６５、識別ツール１９７０、比較ツール１９７５、及び真正性決定ツール１９８０は、別個の又は組み合わされたモジュールとしてのメモリ１９２５Ａに記憶されたプログラム制御１９４０の１つ又は複数のプログラムコードとして実装することができる。
【０１９９】
コンピューティングデバイス１９１０は、プロセッサ１９２０、メモリ１９２５Ａ、Ｉ／Ｏインタフェース１９３０、及びバス１９２６をさらに含む。メモリ１９２５Ａは、プログラムコードの実際の実行の間利用されるローカルメモリと、大容量記憶装置と、実行中にコードが大容量記憶装置から抽出されなければならない回数を減少させるために少なくともいくつかのプログラムコードの一時記憶を行うキャッシュメモリとを含むことができる。加えて、コンピューティングデバイスは、ランダムアクセスメモリ（ＲＡＭ）、読取り専用メモリ（ＲＯＭ）、及びオペレーティングシステム（Ｏ／Ｓ）を含む。
【０２００】
コンピューティングデバイス１９１０は、外部Ｉ／Ｏデバイス／リソース１９３５及び記憶システム１９２５Ｂと通信する。例えば、Ｉ／Ｏデバイス１９３５は、個人がコンピューティングデバイス１９１０と対話できるようにする任意のデバイス、又はコンピューティングデバイス１９１０が任意のタイプの通信リンクを使用して１つ又は複数の他のコンピューティングデバイスと通信できるようにする任意のデバイスを含むことができる。外部Ｉ／Ｏデバイス／リソース１９３５は、例えば、手持ち式デバイス、ＰＤＡ、ハンドセット、キーボード、スマートフォンなどとすることができる。追加として、本発明の態様によれば、環境１９００は、１つ又は複数の計時器からの音響振動（例えば、音波放出）を測定するための測定デバイス１９８５を含む。
【０２０１】
一般に、プロセッサ１９２０は、メモリ１９２５Ａ及び／又は記憶システム１９２５Ｂに記憶できるコンピュータプログラムコード（例えば、プログラム制御１９４０）を実行する。その上、本発明の態様によれば、プログラムコードを有するプログラム制御１９４０は、測定ツール１９４５、抽出ツール１９６５、識別ツール１９７０、比較ツール１９７５、及び真正性決定ツール１９８０を制御する。コンピュータプログラムコードを実行している間、プロセッサ１９２０は、メモリ１９２５Ａ、記憶システム１９２５Ｂ、及び／又はＩ／Ｏインタフェース１９３０から／にデータを読み出し及び／又は書き込むことができる。プログラムコードは、本発明のプロセスを実行する。バス１９２６は、コンピューティングデバイス１９１０の構成要素の各々の間に通信リンクを設ける。
【０２０２】
コンピューティングデバイス１９１０は、それにインストールされたコンピュータプログラムコードを実行することができる任意の汎用コンピューティング製品（例えば、パーソナルコンピュータ、サーバなど）を含むことができる。しかしながら、コンピューティングデバイス１９１０は、本明細書で説明するプロセスを実行する様々なあり得る等価なコンピューティングデバイスを単に表すことを理解されたい。この点で、実施形態において、コンピューティングデバイス１９１０によって与えられる機能は、汎用及び／又は専用のハードウェア及び／又はコンピュータプログラムコードの任意の組合せを含むコンピューティング製品で実施することができる。各実施形態において、プログラムコード及びハードウェアは、それぞれ、標準プログラミング技法及びエンジニアリング技法を使用して作り出すことができる。
【０２０３】
同様に、コンピューティングインフラストラクチャ１９０５は、本発明を実施するための様々なタイプのコンピュータインフラストラクチャの単なる例示である。例えば、実施形態において、サーバ１９０５は、本明細書で説明するプロセスを実行するために、ネットワークなどの任意のタイプの通信リンクで通信する２つ以上のコンピューティングデバイス（例えば、サーバクラスタ）、シェアードメモリなどを含む。さらに、本明細書で説明するプロセスを実行している間、サーバ１９０５の１つ又は複数のコンピューティングデバイスは、任意のタイプの通信リンクを使用して、サーバ１９０５の外の１つ又は複数の他のコンピューティングデバイスと通信することができる。通信リンクは、有線リンク及び／又はワイヤレスリンクの任意の組合せ、すなわち、１つ又は複数のタイプのネットワーク（例えば、インターネット、広域ネットワーク、ローカルエリアネットワーク、仮想プライベートネットワークなど）の任意の組合せを含むことができ、及び／又は伝送技法及びプロトコルの任意の組合せを利用することができる。
【０２０４】
流れ図
図１１、及び図１２は、本発明の態様を実行するための例示的な流れを示す。図１１、及び１２のステップは、例えば、図１０の環境で実施することができる。流れ図は、本発明の実施形態のハイレベルブロック図を同様に表すことができる。図１１、及び図１２のフローチャート及び／又はブロック図は、本発明の様々な実施形態によるシステム、方法、及びコンピュータプログラム製品のあり得る実施態様のアーキテクチャ、機能、及び動作を示す。この点に関して、フローチャート又はブロック図の各ブロックは、特定の論理機能（複数可）を実施するための１つ又は複数の実行可能命令を含むコードのモジュール、セグメント、又は一部分を表すことができる（及び／又は各ブロックは１つのハードウェアを表すことができる）。いくつかの代替の実施態様では、ブロックに記した機能は、図に記した順序から外れて行うことができることにも留意されたい。例えば、連続して示されている２つのブロックは、実際には、実質的に同時に実行することができ、又はブロックは、時には、必要とされる機能に応じて逆の順序で実行することができる。各フローチャートの各ブロック及びフローチャートの説明の組合せは、上述のように、特定の機能若しくは作用を実行する専用ハードウェアベースシステム、又は専用ハードウェア及びコンピュータ命令及び／又はソフトウェアの組合せによって実施することができる。その上、流れ図のステップは、クライアントサーバ関係にあるサーバから実施及び実行することができ、又はユーザワークステーションに伝えられる動作情報を用いてユーザワークステーション上で走ることができる。一実施形態では、ソフトウェア要素は、ファームウェア、常駐ソフトウェア、マイクロコードなどを含む。
【０２０５】
その上に、本発明は、コンピュータ又は任意の命令実行システムによって又はそれに関連して使用するためのプログラムコードを提供するコンピュータ使用可能又はコンピュータ可読媒体からアクセス可能なコンピュータプログラム製品の形態をとることができる。ソフトウェア及び／又はコンピュータプログラム製品は、図１０の環境に実装することができる。この説明のために、コンピュータ使用可能又はコンピュータ可読媒体は、命令実行システム、装置、又はデバイスによって又はそれに関連して使用するためのプログラムを含む、記憶する、通信する、伝搬する、又は移送することができる任意の装置とすることができる。媒体は、電子、磁気、光学、電磁気、赤外線、若しくは半導体システム（又は装置又はデバイス）、又は伝搬媒体とすることができる。コンピュータ可読記憶媒体の例には、半導体又は固体メモリ、磁気テープ、取外し可能コンピュータディスケット、ランダムアクセスメモリ（ＲＡＭ）、読取り専用メモリ（ＲＯＭ）、固定磁気ディスク、及び光ディスクが含まれる。光ディスクの現在の例には、コンパクトディスク−読取り専用メモリ（ＣＤ−ＲＯＭ）、コンパクトディスク−読取り／書込み（ＣＤ−Ｒ／Ｗ）、及びＤＶＤが含まれる。
【０２０６】
図１１は、計時器の識別コードを作り出し記憶するための例示的な流れ２０００を示す。ステップ２００５において、測定ツールは、電気信号を得るために音響振動を測定する。図１１に示すように、ステップ２０１０において、抽出ツールは、前記電気信号から、又は時間、周波数、若しくは時間−周波数ドメインにおける前記電気信号の表示から、前記複数の音響事象のうちの１つのものの大きさに関する大きさ情報、前記複数の音響事象のうちの前記１つに関する時間情報、及び前記複数の音響事象のうちの前記１つのものの周波数に関する周波数情報のうちの少なくとも１つを抽出する。ステップ２０１５において、識別ツールは、大きさ情報、時間情報、及び周波数情報のうちの少なくとも１つに基づいて識別コードを生成する。ステップ２０２０において、識別ツールは、識別コードを記憶システム、例えば、データベースに記憶する。
【０２０７】
図１２は、計時器の認証及び／又は識別のための例示的な流れ２１００を示す。図１２に示すように、ステップ２１０５において、測定ツールは、音響振動を測定し、電気信号を得る。ステップ２１１０において、抽出ツールは、前記電気信号から、又は時間、周波数、若しくは時間−周波数ドメインにおける前記電気信号の表示から、前記複数の音響事象のうちの１つのものの大きさに関する大きさ情報、前記複数の音響事象のうちの前記１つに関する時間情報、及び前記複数の音響事象のうちの前記１つのものの周波数に関する周波数情報のうちの少なくとも１つを抽出する。ステップ２１１５において、識別ツールは、大きさ情報、時間情報、及び周波数情報のうちの少なくとも１つに基づいて、得られた識別コードを作り出す。ステップ２１２０において、比較ツールは、得られたコードを、記憶されている識別コードと比較する。ステップ２１２５において、認証決定ツールは、得られたコードが、記憶されている識別コードと一致するかどうかを決定する。ステップ２１２５において、得られたコードが、記憶されている識別コードと一致すると認証決定ツールが決定した場合、ステップ２１３０において、計時器は真正であると決定される。ステップ２１２５において、得られたコードが、記憶されている識別コードと一致しないと認証決定ツールが決定した場合、ステップ２１３５において、計時器は真正でないと決定される。
【０２０８】
特別な実施形態を参照しながら本発明を説明したが、本発明の真の趣旨及び範囲から逸脱することなく、様々な変更を行うことができ、均等物を本発明の要素の代わりに用いることができることを当業者は理解されよう。加えて、本発明の本質的な教示から逸脱することなく改変を行うことができる。
【図１】
0006440151.tif 000002
【図２】
0006440151.tif 000003
【図３】
0006440151.tif 000004
【図４】
0006440151.tif 000005
【図５】
0006440151.tif 000006
【図６】
0006440151.tif 000007
【図７】
0006440151.tif 000008
【図８】
0006440151.tif 000009
【図９Ａ】
0006440151.tif 000010
【図９Ｂ】
0006440151.tif 000011
【図１０】
0006440151.tif 000012
【図１１】
0006440151.tif 000013
【図１２】
0006440151.tif 000014